(57)【要約】      （修正有）【課題】屋根部を取り外すことなくワンタッチで折畳むことができる切妻屋根を備えた構造物を提供する。【解決手段】中柱３を介して蝶着された前面構成体１及び後面構成体２の各両側縁と、互いに対向する一対の側面構成体４の各両側縁とを蝶着してなる四方の壁面と、棟部５と一対の傾斜屋根板６上縁とを蝶着してなる屋根部とからなる切妻屋根を備えた構造物に於いて、前面構成体及び後面構成体の中柱天頂部に装着したスライダーが、棟部下に設けたガイドレールに係合すると共に、両側面構成体の両側縁天頂部に装着した別のスライダーを屋根板裏面に設けた別のガイドレールに係合して屋根板を支持し、前面構成体及び後面構成体が中柱を軸として互いに内側に折り込まれることにより、両側縁が蝶着されて該前面及び後面構成体と連係された両側面構成体の互いの距離が狭まるにつれ、棟部に蝶着された屋根板が連係し、構造部物全体が扁平状態に折畳まれる構成とした。【選択図】図１
2007170150.tif 000002
【特許請求の範囲】
【請求項１】
中柱を介して蝶着されて左右対称に形成された前面構成体及び後面構成体の各両側縁と、互いに対向する一対の側面構成体の各両側縁とが蝶着されて構成される四方の壁面と、棟部と一対の傾斜屋根板上縁とが蝶着されて構成される屋根部とからなる切妻屋根を備えた構造物において、前記前面構成体及び後面構成体の中柱天頂部に装着したスライダーが、屋根部の棟下長手方向に形成されたガイドレールに係合すると共に、両側面構成体の各両側縁天頂部に各々装着した別のスライダーを、一対の屋根板裏面の傾斜方向にそれぞれ埋設した一対のガイドレールに係合して屋根板を支持し、全スライダーを摺動自在に連係させたことを特徴とする切妻屋根を備えた折畳み構造物
【請求項２】
中柱を介して蝶着されて形成された前面構成体及び後面構成体の一方又は双方に開口部を設け、出入口又は窓としたことを特徴とする前記切妻屋根を備えた折畳み構造物
【請求項３】
互いに対向する一対の側面構成体の一方又は双方に開口部を設け、出入口又は窓としたことを特徴とする前記切妻屋根を備えた折畳み構造物
【請求項４】
互いに対向する一対の側面構成体の一方又は双方の下縁に床板を蝶着し、跳ね上げ式の床としたことを特徴とする前記切妻屋根を備えた折畳み構造物
【発明の詳細な説明】
【技術分野】
【０００１】  本発明は、折畳み構造物に関し、特に切妻屋根を備えた構造物、例えば幼稚園の園庭遊具の小屋、移動式の売店、犬小屋、避難所その他の仮設住宅等としての組立及びコンパクト化に好適な折畳み構造物に関するものである。
【背景技術】
【０００２】  従来、天板を備えた構造物の折畳み方法として、一方の側面構成体の上縁部に一辺が蝶着された天板を２７０度回転させて該側面構成体の外側に垂らした後、縦方向の中心部が蝶着された対向する前面構成体及び後面構成体を互いに内側へ折込む形式のものが知られているが、切妻型の屋根を備えた構造物の折畳みについては、屋根を一体的に折畳むことができないため、別個の部材として組立式としなければならなかった。
【発明の開示】
【発明が解決しようとする課題】
【０００３】  そこで本発明は、屋根部を取り外すことなくワンタッチで折畳むことができ、折畳んだ時に屋根板２枚、両側面構成体、及び中柱を含めた前、後面構成体の二つ折りの厚さの合計までに圧縮して折畳むことができる切妻屋根を備えた構造物を提供することを課題とする。
【課題を解決するための手段】
【０００４】    上記の課題を解決するため、本発明は中柱を介して蝶着されて左右対称に形成された前面構成体及び後面構成体の各両側縁と、互いに対向する側面構成体の各両側縁とを蝶着して四方の壁面を構成し、前面構成体及び後面構成体が中柱を軸として互いに内側に折り込まれることにより、両側縁が蝶着されて該前面構成体及び後面構成体と連係された両側面構成体の互いの距離が挟まるにつれ、一対の屋根板が連係し、あたかも傘が閉じられるように折り畳まれる構成とした。【０００５】  上記構成の切妻屋根を備えた折畳み構造物の折畳みをスムーズなものとするため、一対の傾斜屋根板の上方の一辺を棟部に蝶着し、該棟部下の長手方向にガイドレールを形成すると共に、前面構成体及び後面構成体の中柱の天頂部にスライダーを装着して係合することにより、中柱を介して蝶着されて形成された前面構成体及び後面構成体が互いに内側に折畳まれる時、両スライダーが直線上を移動しながら互いに接近する構成とした。【０００６】  さらに、一対の屋根板裏面の傾斜方向、すなわち棟下のガイドレールと直角をなす方向にもそれぞれ一対のガイドレールを埋設すると共に、両側面構成体の両側縁天頂部に別のスライダーを装着して屋根板を係合支持する構成とした。【０００７】  前面構成体及び後面構成体と両側面構成体には、任意の箇所に開口部を設け、出入口又は窓とする構成とした。【０００８】  また、互いに対向する両側面構成体の一方又は双方の下縁には、全面又は二分割の床板を蝶着し、折畳みの際には側面構成体の内面に跳ね上げられて収納される構成とした。
【発明の効果】
【０００９】  本発明の切妻屋根を備えた折畳み構造物は、以上のような構成であるので、折畳みに際しては、床板を跳ね上げた後、前面構成体及び後面構成体を内側に折り込むことにより、互いに対向する両側面構成体の間隔が徐々に狭まるのに連係して、該側面構成体の側縁天頂部に装着した各スライダーは、傾斜した屋根板裏に埋設したガイドレールに係合して棟部方向へ進むことになる。【００１０】  一対の傾斜屋根板は上方の一辺を棟部に蝶着されると共に下方を上記スライダーにより支持される構成のため、該スライダーが棟部方向へ摺動し支持位置が互いに内方へ移動するにつれ、該屋根板は傘が閉じられるように自重で畳まれ、前面構成体及び後面構成体が折畳まれて棟部下に収まった時、下方の支持を失い、棟部両縁に吊り下げられて両側面構成体の外側に垂れ下がり、屋根を含めた構造物全体が扁平状態となる。
【発明を実施するための最良の形態】
【００１１】  本発明を実施するための形態は切妻屋根を備えた構造物のうち、犬小屋、幼稚園の園庭遊具の小屋、移動式売店、プレハブ小屋等、間取り一間からなる比較的小さな小屋の折畳みを最適とする。
【実施例】
【００１２】  以下、本発明に係る切妻屋根を備えた折畳み構造物の一実施例を図面に基づいて詳細に説明する。本実施例の切妻屋根を備えた折畳み構造物は、中柱３を介して蝶着されて左右対称に形成された前面構成体１及び後面構成体２の各両側縁と、互いに対向する一対の側面構成体４の各両側縁とを蝶着してなる四方の壁面と、棟部５と一対の傾斜屋根板６の上縁とを蝶着してなる屋根部と、二分割されて両側面構成体４の下縁にそれぞれ蝶着された床板７とからなる。【００１３】  図１は本発明の構成と折畳み方法を示し、（Ａ）は設置時、（Ｂ）は床板７の収納、（Ｃ）は折畳み途中、（Ｄ）は折畳み完了時を示す概略図であり、図２は本実施例の設置状態の全体を示す斜視図であり、前面構成体１及び後面構成体２にはそれぞれ開口部が設けられ出入口及び窓となっている。【００１４】  図３は本実施例の正面図であり、図４は前面構成体側から見た正面断面図であり、図５は折畳み途中に於ける正面断面図であり、図６は折畳み完了後の正面図である。【００１５】  前面構成体１及び後面構成体２は中柱３を介して蝶着された左右対称の壁材であり、中柱３の天頂部にはコロ１０を備えたスライダー９が装着されている。また、一対の傾斜屋根板６の上縁を棟部５に蝶着した屋根部には、棟下長手方向にガイドレール８が形成され、該前面構成体１及び後面構成体２の中柱３天頂部のスライダー９と係合しており、棟部５は該スラーダー９のコロ１０により支持されている。【００１６】  また、一対の傾斜屋根板６の裏面には、棟部５と直角をなす傾斜方向に一対のガイドレール１１が埋設されており、両側面構成体４の両側縁天頂部に装着された、コロ１３を備えると共に蝶番の機能を有するスライダー１２が、該ガイドレール１１に係合して屋根板６を下方で支持している。【００１７】  折畳みに際しては、まず床板７を側面構成体４の内側に跳ね上げ、次に前面構成体１及び後面構成体２を、棟部５の底面に設けられたガイドレール８に係合するスライダー９を天頂部に突設した中柱３を軸として互いに内方へ折り込むと、該前面構成体１及び後面構成体２と両側縁で蝶着された一対の側面構成体４の互いの距離が狭まることにより、該両側面構成体４の側縁天頂部のスラーダー１２のコロ１３に支持され且つ棟部５に蝶着された屋根板６も連係してあたかも傘が閉じられるように畳まれ、前面構成体１及び後面構成体２が完全に折り込まれ、棟部５の下に収まった時、屋根板６は該側面構成体４の両側縁天頂部のスライダー１２のコロ１３による支持を失い、側面構成体４の外側に自重で垂直に垂れ下がり、構造部物全体が扁平状態となる。【００１８】  本実施例に於いては、蝶番は規格平蝶番を想定しているが、蝶番の種類、形状は問わず、例えば、各構成体の側縁部及び中柱をアルミ材とした場合、押し出し形材一体成形による蝶着方法等も考えられる。
【産業上の利用可能性】
【００１９】  本発明の切妻屋根を備えた折畳み構造物は前述のように設置、折畳み収納が容易であるため、デザイン、機能に於いて切妻屋根を必要とする構造物の内、マイカーでは運搬が困難な大型犬用の犬小屋や、運搬、収納の経費節減が利益に繋がるリース、レンタル向けの催事用模擬店舗、さらには緊急の設置が急務の仮設住宅、園庭の有効活用のため運動会等の行事の際には片付けたい幼稚園の園庭遊具の小屋等、利用可能性は広範囲に及ぶ。
【図面の簡単な説明】
【００２０】
【図１】本発明の折畳み方法を示す概略図である。
【図２】本実施例の設置状態を示す斜視図である。
【図３】本実施例の正面図である。
【図４】本実施例の正面断面図である。
【図５】本実施例の折畳み途中に於ける正面断面図である。
【図６】本実施例の折畳み完了後の正面図である。
【符号の説明】
【００２１】  １    前面構成体
２    後面構成体
３    中柱
４    側面構成体
５    棟部
６    屋根板
７    床板
８    ガイドレール
９    スライダー
１０    コロ
１１    ガイドレール
１２    スライダー
１３    コロ
１４    蝶番
【図１】
2007170150.tif 000003
【図２】
2007170150.tif 000004
【図３】
2007170150.tif 000005
【図４】
2007170150.tif 000006
【図５】
2007170150.tif 000007
【図６】
2007170150.tif 000008